【手続補正書】
【提出日】平成15年8月6日(2003.8.6)
【手続補正１】
【補正対象書類名】明細書
【補正対象項目名】発明の名称
【補正方法】変更
【補正の内容】
【発明の名称】積分型Ａ／Ｄ変換器の入力切り替え装置


【手続補正２】
【補正対象書類名】明細書
【補正対象項目名】特許請求の範囲
【補正方法】変更
【補正の内容】
【特許請求の範囲】
【請求項１】
積分器と制御装置を備える積分型Ａ／Ｄ変換器の入力切り替え装置において、第１の入力電圧の端子と、第１の制御端子と、第１のトランジスタと、第１の抵抗と、第２の入力電圧の端子と、第２の制御端子と、第２のトランジスタと、第２の抵抗とを備え、前記積分器の＋端子を基準電圧に接続し、前記第１の入力電圧の端子を前記第１のトランジスタと前記第１の抵抗の一端に接続し、前記第１のトランジスタの他端を電源に、前記第１の抵抗の他端は積分器の−端子に、前記第１の制御端子を前記第１のトランジスタの制御端子にそれぞれ接続し、前記第２の入力電圧の端子を前記第２のトランジスタと前記第２の抵抗の一端に接続し、前記第２のトランジスタの他端を電源に、前記第２の抵抗の他端を積分器の−端子に、前記第２の制御端子を前記第２のトランジスタの制御端子にそれぞれ接続したことを特徴とする積分型Ａ／Ｄ変換器の入力切り替え装置。
【請求項２】
前記第１の入力電圧を前記積分型Ａ／Ｄ変換器に入力するときには、前記積分器の出力が所定値の時に、前記第１のトランジスタをオフにし、前記第２のトランジスタをオンにした後、所定時間経過後、前記積分器の出力が前記所定値になるまで前記第１のトランジスタをオンにし、前記第２の入力電圧を前記積分型Ａ／Ｄ変換器に入力するときには、前記積分器の出力が前記所定値の時に、前記第２のトランジスタをオフにし、前記第１のトランジスタをオンにした後、所定時間経過後、前記積分器の出力が前記所定値になるまで前記第２のトランジスタをオンにする請求項１に記載の積分型Ａ／Ｄ変換器の入力切り替え装置。
【請求項３】
前記第１のトランジスタと前記第２のトランジスタがＮＰＮ型バイポーラトランジスタであり、前記第１のトランジスタの一端と前記第２のトランジスタの一端がコレクタであり、前記第１のトランジスタの他端と前記第２のトランジスタの他端がエミッタであり、前記第１のトランジスタの制御端子と前記第２のトランジスタの制御端子がベースであり、前記第１の入力電圧を積分型Ａ／Ｄ変換器に入力する時には、前記積分器の出力が０Ｖの時に、前記第１の制御端子にＬｏを入力し、前記第２の制御端子にＨｉを入力した後、所定時間経過後、前記積分器の出力が０Ｖになるまで前記第１の制御端子にＨｉを入力し、前記第２の入力電圧を積分型Ａ／Ｄ変換器に入力する時には、前記積分器の出力が０Ｖの時に、前記第２の制御端子にＬｏを入力し、前記第１の制御端子にＨｉを入力した後、所定時間経過後、前記積分器の出力が０Ｖになるまで前記第２の制御端子にＨｉを入力する請求項１に記載の積分型Ａ／Ｄ変換器の入力切り替え装置。
【手続補正３】
【補正対象書類名】明細書
【補正対象項目名】０００１
【補正方法】変更
【補正の内容】
【０００１】
【発明の属する技術分野】
２種類の入力電圧を同一の積分型Ａ／Ｄ変換器への入力するための入力切り替え装置に関する。


【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１２
【補正方法】変更
【補正の内容】
【００１２】
【課題を解決するための手段】
本発明の一つの観点によれば、積分器と制御装置を備える積分型Ａ／Ｄ変換器の入力切り替え装置において、第１の入力電圧の端子と、第１の制御端子と、第１のトランジスタと、第１の抵抗と、第２の入力電圧の端子と、第２の制御端子と、第２のトランジスタと、第２の抵抗とを備え、前記積分器の＋端子を基準電圧に接続し、前記第１の入力電圧の端子を前記第１のトランジスタと前記第１の抵抗の一端に接続し、前記第１のトランジスタの他端を電源に、前記第１の抵抗の他端は積分器の−端子に、前記第１の制御端子を前記第１のトランジスタの制御端子にそれぞれ接続し、前記第２の入力電圧の端子を前記第２のトランジスタと前記第２の抵抗の一端に接続し、前記第２のトランジスタの他端を電源に、前記第２の抵抗の他端を積分器の−端子に、前記第２の制御端子を前記第２のトランジスタの制御端子にそれぞれ接続したことを特徴とする積分型Ａ／Ｄ変換器の入力切り替え装置が提供される。
本発明の一つの実施の形態によれば、前記第１の入力電圧を前記積分型Ａ／Ｄ変換器に入力するときには、前記積分器の出力が所定値の時に、前記第１のトランジスタをオフにし、前記第２のトランジスタをオンにした後、所定時間経過後、前記積分器の出力が前記所定値になるまで前記第１のトランジスタをオンにし、前記第２の入力電圧を前記積分型Ａ／Ｄ変換器に入力するときには、前記積分器の出力が前記所定値の時に、前記第２のトランジスタをオフにし、前記第１のトランジスタをオンにした後、所定時間経過後、前記積分器の出力が前記所定値になるまで前記第２のトランジスタをオンにする。
本発明の別の実施の形態によれば、前記第１のトランジスタと前記第２のトランジスタがＮＰＮ型バイポーラトランジスタであり、前記第１のトランジスタの一端と前記第２のトランジスタの一端がコレクタであり、前記第１のトランジスタの他端と前記第２のトランジスタの他端がエミッタであり、前記第１のトランジスタの制御端子と前記第２のトランジスタの制御端子がベースであり、前記第１の入力電圧を積分型Ａ／Ｄ変換器に入力する時には、前記積分器の出力が０Ｖの時に、前記第１の制御端子にＬｏを入力し、前記第２の制御端子にＨｉを入力した後、所定時間経過後、前記積分器の出力が０Ｖになるまで前記第１の制御端子にＨｉを入力し、前記第２の入力電圧を積分型Ａ／Ｄ変換器に入力する時には、前記積分器の出力が０Ｖの時に、前記第２の制御端子にＬｏを入力し、前記第１の制御端子にＨｉを入力した後、所定時間経過後、前記積分器の出力が０Ｖになるまで前記第２の制御端子にＨｉを入力する。


【手続補正７】
【補正対象書類名】明細書
【補正対象項目名】００１５
【補正方法】変更
【補正の内容】
【００１５】
生体インピーダンスを測定するには、Ｖｓ１をＨｉにしてＴｒ１をＯＮする。Ｖｓ２をＬｏにし、Ｔｒ２をＯＦＦにすると、積分器に流れる電流Ｉｘ１は
Ｉｘ１＝Ｖｉ’／Ｒ４＋（−Ｖｓｓ）／Ｒ１  となる。ここでＲ１＝Ｒ４であるから
Ｉｘ１＝（Ｖｉ＋Ｖｓｓ）／Ｒ１−Ｖｓｓ／Ｒ１＝Ｖｉ／Ｒ１    となる。
積分器出力電圧Ｖｏが０Ｖに達したのをコンパレータ出力により確認してから一定時間Ｔｘ後Ｖｓ２をＨｉにしてＴｒ２をＯＮにすると積分器に流れる電流ＩＲ１は
ＩＲ１＝−Ｖｓｓ／Ｒ４＋（−Ｖｓｓ）／Ｒ１＝−２Ｖｓｓ／Ｒ１
Ｖｏが再び０Ｖに達するまでの時間ＴＲを計測する。
Ｔｘ時間中に積分器に流れ込む電荷Ｑｘは  Ｑｘ＝Ｔｘ＊Ｉｘ１    で、
ＴＲ時間中に積分器から流れ出る電荷ＱＲは  ＱＲ＝ＴＲ＊ＩＲ１  であり、
Ｑｘ＋ＱＲ＝０  であるから
ＴＲ＝Ｔｘ＊Ｖｉ／（２Ｖｓｓ）となり、前出（式１）のＶＲを２Ｖｓｓに置き換えた物と同一であり、生体インピーダンスに比例したカウント値が得られる。


【手続補正８】
【補正対象書類名】明細書
【補正対象項目名】００１６
【補正方法】変更
【補正の内容】
【００１６】
体重値を測定するには、Ｖｓ２をＨｉにしてＴｒ２をＯＮする。Ｖｓ１をＬｏにし、Ｖｏが０ＶになってからＴｘ後にＶｓ１をＨｉにして再びＶｏが０Ｖに成るまでの時間ＴＲ’を計測すると、同様に
ＴＲ’＝Ｔｘ＊Ｖｗ／（２Ｖｓｓ）が導かれ、体重値に比例したカウント値が得られる。


【手続補正９】
【補正対象書類名】明細書
【補正対象項目名】００２０
【補正方法】変更
【補正の内容】
【００２０】
【発明の効果】
請求項１に記載の発明によれば、積分器と制御装置を備える積分型Ａ／Ｄ変換器の入力切り替え装置において、第１の入力電圧の端子と、第１の制御端子と、第１のトランジスタと、第１の抵抗と、第２の入力電圧の端子と、第２の制御端子と、第２のトランジスタと、第２の抵抗とを備え、前記積分器の＋端子を基準電圧に接続し、前記第１の入力電圧の端子を前記第１のトランジスタと前記第１の抵抗の一端に接続し、前記第１のトランジスタの他端を電源に、前記第１の抵抗の他端は積分器の−端子に、前記第１の制御端子を前記第１のトランジスタの制御端子にそれぞれ接続し、前記第２の入力電圧の端子を前記第２のトランジスタと前記第２の抵抗の一端に接続し、前記第２のトランジスタの他端を電源に、前記第２の抵抗の他端を積分器の−端子に、前記第２の制御端子を前記第２のトランジスタの制御端子にそれぞれ接続したので、高価なスイッチ素子に代わって、二つの異なった物理量から得た電圧を同一の積分器に切り替えて入力するための積分型Ａ／Ｄ変換器の入力切り替えを安価に提供できる。
請求項２に記載の発明によれば、前記第１の入力電圧を前記積分型Ａ／Ｄ変換器に入力するときには、前記積分器の出力が所定値の時に、前記第１のトランジスタをオフにし、前記第２のトランジスタをオンにした後、所定時間経過後、前記積分器の出力が所定値になるまで前記第１のトランジスタをオンにし、前記第２の入力電圧を前記積分型Ａ／Ｄ変換器に入力するときには、前記積分器の出力が所定値の時に、前記第２のトランジスタをオフにし、前記第１のトランジスタをオンにした後、所定時間経過後、前記積分器の出力が所定値になるまで前記第２のトランジスタをオンにすることにより、トランジスタの２個のみから構成される積分型Ａ／Ｄ変換器の入力切り替え装置を提供できる。
請求項３に記載の発明によれば、前記第１のトランジスタと前記第２のトランジスタがＮＰＮ型バイポーラトランジスタであり、前記第１のトランジスタの一端と前記第２のトランジスタの一端がコレクタであり、前記第１のトランジスタの他端と前記第２のトランジスタの他端がエミッタであり、前記第１のトランジスタの制御端子と前記第２のトランジスタの制御端子がベースであり、前記第１の入力電圧を積分型Ａ／Ｄ変換器に入力する時には、積分器の出力が０Ｖの時に、前記第１の制御端子にＬｏを入力し、前記第２の制御端子にＨｉを入力した後、所定時間経過後、前記積分器の出力が０Ｖになるまで前記第１の制御端子にＨｉを入力し、前記第２の入力電圧を積分型Ａ／Ｄ変換器に入力する時には、積分器の出力が０Ｖの時に、前記第２の制御端子にＬｏを入力し、前記第１の制御端子にＨｉを入力した後、所定時間経過後、前記積分器の出力が０Ｖになるまで前記第２の制御端子にＨｉを入力することにより、ＮＰＮ型バイポーラトランジスタの２個のみから構成される積分型Ａ／Ｄ変換器の入力切り替え装置を提供できる。